(57)【要約】【課題】本発明は、擬似基地局装置のリソース設定についての深い知識のない操作者でも、簡単にリソースの設定ができ、その設定を反映したシナリオを作成することができるシナリオ生成装置を提供することを目的とする。【解決手段】リソース設定手段１１は、Sectorの情報の「Band Class」、「Channel」等が変更されると、リソース管理手段１３にＲＦリソースの再割当を依頼する。リソース管理手段１３は、リソース最大値テーブル１２、リソース消費量テーブル１４ａ、リソース状況テーブル１４ｂを参照しながらＲＦリソースの割当を行い、結果をリソース設定手段１１に通知する。リソース設定手段１１は、ＲＦリソースを割り当てられなかったSectorのタブの色を変えて表示するとともに、リソースの設定操作を継続させる。【選択図】図１
2008199086.tif 000002
【特許請求の範囲】
【請求項１】
所定の通信規格に基づき無線通信端末と通信を行う擬似基地局装置を試験のための通信手順が記述されたシナリオを生成するシナリオ生成手段（１５）と、
各種情報を表示する表示手段（１７）と、
各種入力を受け付ける入力手段（１６）と、
前記擬似基地局装置で利用可能な複数のリソースの複数の項目の動作条件をそれぞれ設定入力可能に表示するリソース設定手段（１１）とを備えたシナリオ生成装置において、
前記利用可能な複数のリソースのうち少なくとも管理が必要なリソースの最大数を記憶するリソース最大値テーブル（１２）と、
設定された前記複数の項目の動作条件と該動作条件で使用されるリソースのうち少なくとも管理が必要なリソースの使用数を記憶するリソース状況テーブル（１４ｂ）を含むリソース情報を管理するリソース情報記憶手段（１４）と、
前記リソース設定手段で設定された動作条件に基づいて、前記リソース最大値テーブル及び前記リソース状況テーブルとを参照し、試験のための通信を行うための前記動作条件に基づいて前記複数のリソース間の組合せを生成し、該組合せを実現するように前記複数のリソースを相互に割り当てるとともに前記複数のリソースの消費状況を管理するリソース管理手段（１３）とを備え、
前記リソース管理手段は、前記リソース設定手段により前記管理が必要なリソースの動作条件の設定が変更されたとき、変更された動作条件に基づいて前記複数のリソース間の再割当を行い、リソースの不足による割当不可なリソースを検出し、前記リソース設定手段は、前記リソース管理手段が割当不可なリソースを検出したとき、該割当不可なリソースに係る表示を識別可能に表示するとともに前記動作条件の設定操作を継続して行わせることを特徴とするシナリオ生成装置。
【請求項２】
前記管理が必要なリソースは、少なくとも基地局制御部リソースと無線部リソースであることを特徴とする請求項１に記載のシナリオ生成装置。
【請求項３】
コンピュータを、所定の通信規格に基づき無線通信端末と通信を行う擬似基地局装置を試験のための通信手順が記述されたシナリオを生成するシナリオ生成手段、各種情報を表示する表示手段、各種入力を受け付ける入力手段、前記擬似基地局装置で利用可能な複数のリソースのうち少なくとも管理が必要なリソースの最大数を記憶するリソース最大値テーブル、前記複数のリソースのうち少なくとも管理が必要なリソースの使用数を記憶するリソース状況テーブル、設定された動作条件に基づいて、前記リソース最大値テーブル及び前記リソース状況テーブルとを参照し、試験のための通信を行うための前記動作条件に基づいて前記複数のリソース間の組合せを生成し、該組合せを実現するように前記複数のリソースを相互に割り当ててリソースの不足による割当不可なリソースを検出するとともに前記複数のリソースの消費状況を管理するリソース管理手段、前記複数のリソースの複数の項目の動作条件をそれぞれ設定入力可能に表示するとともに、前記管理が必要なリソースの動作条件の設定が変更されたとき、変更された動作条件に基づいて前記リソース管理手段により前記複数のリソース間の再割当を行い、リソースの不足による割当不可なリソースが検出された場合、該割当不可なリソースに係る表示を識別可能に表示するとともに前記動作条件の設定操作を継続して行わせるリソース設定手段、として機能させるためのシナリオ生成プログラム。
【請求項４】
所定の通信規格に基づき無線通信端末と通信を行う擬似基地局装置で利用可能な複数のリソースの複数の項目の動作条件を設定させるリソース設定方法であって、
設定された前記動作条件に基づいて前記複数のリソース間の組合せを生成し、該組合せを実現するように前記複数のリソースを相互に割り当てるリソース割当手順、
割当の結果、リソースの不足による割当不可なリソースが有る場合、該割当不可なリソースに係る表示を識別可能に表示する手順、
前記動作条件の設定操作を継続して行わせる手順、
前記動作条件に変更があったとき、前記リソース割当手順から処理を行わせる手順、を実行するリソース設定方法。
【発明の詳細な説明】
【技術分野】
【０００１】
本発明は、無線通信端末と擬似基地局装置を通信させるシナリオを生成するシナリオ生成装置に関する。
【背景技術】
【０００２】
無線通信端末を試験するためには、基地局装置（以下、基地局とも言う）と通信を行わなければならないが、運用中の基地局装置では、様々な条件での試験を行うことが困難であるため、基地局の動作をシミュレーションする擬似基地局装置（以下、擬似基地局とも言う）を使用して試験を行っている。
【０００３】
擬似基地局装置には、通信規格や試験内容を実現するために、実装されたハードウェアおよびソフトウェアにより試験に必要なリソース（基地局相当部、チャンネル、無線信号出力部等）が提供されている。
【０００４】
この擬似基地局装置で無線通信端末を試験するには、擬似基地局装置に実装されたリソースを実現する機能に適切に割り当て、それらに様々な動作条件等の設定を行い、更に擬似基地局装置を試験したい通信手順を記述したシナリオを作成する必要がある。
【０００５】
また、通信規格や試験の内容により使用するリソースの数や組合せが異なり、その設定内容も異なるため、試験を実施するためには、無線通信の規格を理解していることに加え、擬似基地局装置のリソースの設定方法やシナリオの作成方法についても理解している操作者が必要となる。
【０００６】
このようなリソースの設定を支援するため、利用可能なリソースをアイコンで表示し、組み合わせ可能なリソース間を線で接続し、アイコンやアイコンを接続する線を選択することによって試験の内容を選択し、アイコン毎に対応するパラメータを設定できるようにしたものがある（例えば、特許文献１参照）。
【特許文献１】特開２００５−３４８２１９号公報
【発明の開示】
【発明が解決しようとする課題】
【０００７】
しかしながら、このような従来のシナリオ生成装置にあっては、利用可能なリソースとその組合せを表示してくれるため、簡単に試験内容の設定を行えるが、シナリオ生成装置の提示する試験環境からしか選択することができず、簡単な試験環境の試験には対応できるが、複雑な試験環境を設定するには設定の自由度が乏しかった。
【０００８】
そこで、本発明は、擬似基地局装置のリソース設定についての深い知識のない操作者でも、簡単にリソースの設定ができ、その設定を反映したシナリオを作成することができるシナリオ生成装置を提供することを目的とする。
【課題を解決するための手段】
【０００９】
上記課題を解決する第１の発明は、所定の通信規格に基づき無線通信端末と通信を行う擬似基地局装置を試験のための通信手順が記述されたシナリオを生成するシナリオ生成手段と、各種情報を表示する表示手段と、各種入力を受け付ける入力手段と、前記擬似基地局装置で利用可能な複数のリソースの複数の項目の動作条件をそれぞれ設定入力可能に表示するリソース設定手段とを備えたシナリオ生成装置において、前記利用可能な複数のリソースのうち少なくとも管理が必要なリソースの最大数を記憶するリソース最大値テーブルと、設定された前記複数の項目の動作条件と該動作条件で使用されるリソースのうち少なくとも管理が必要なリソースの使用数を記憶するリソース状況テーブルを含むリソース情報を管理するリソース情報記憶手段と、前記リソース設定手段で設定された動作条件に基づいて、前記リソース最大値テーブル及び前記リソース状況テーブルとを参照し、試験のための通信を行うための前記動作条件に基づいて前記複数のリソース間の組合せを生成し、該組合せを実現するように前記複数のリソースを相互に割り当てるとともに前記複数のリソースの消費状況を管理するリソース管理手段とを備え、前記リソース管理手段は、前記リソース設定手段により前記管理が必要なリソースの動作条件の設定が変更されたとき、変更された動作条件に基づいて前記複数のリソース間の再割当を行い、リソースの不足による割当不可なリソースを検出し、前記リソース設定手段は、前記リソース管理手段が割当不可なリソースを検出したとき、該割当不可なリソースに係る表示を識別可能に表示するとともに前記動作条件の設定操作を継続して行わせることを特徴とするものである。
【００１０】
この発明では、複数のリソース間の割当の結果、リソースの不足による割当不可なリソースに係る表示が識別可能に表示され、動作条件の設定操作が継続される。したがって、リソースの不足による割当不可なリソースでも、動作条件を様々に変更することでリソースが割り当てられるようにすることができる。
【００１１】
上記課題を解決する第２の発明は、上記第１の発明の構成に加え、前記管理が必要なリソースは、少なくとも基地局制御部リソースと無線部リソースであることを特徴とするものである。
【００１２】
この発明では、基地局制御部リソースまたは無線部リソースの動作条件の設定が変更されたとき、複数のリソース間の再割当が行われ、リソースの不足による割当不可なリソースに係る表示は識別可能に表示される。
【００１３】
上記課題を解決する第３の発明は、コンピュータを、所定の通信規格に基づき無線通信端末と通信を行う擬似基地局装置を試験のための通信手順が記述されたシナリオを生成するシナリオ生成手段、各種情報を表示する表示手段、各種入力を受け付ける入力手段、前記擬似基地局装置で利用可能な複数のリソースのうち少なくとも管理が必要なリソースの最大数を記憶するリソース最大値テーブル、前記複数のリソースのうち少なくとも管理が必要なリソースの使用数を記憶するリソース状況テーブル、設定された動作条件に基づいて、前記リソース最大値テーブル及び前記リソース状況テーブルとを参照し、試験のための通信を行うための前記動作条件に基づいて前記複数のリソース間の組合せを生成し、該組合せを実現するように前記複数のリソースを相互に割り当ててリソースの不足による割当不可なリソースを検出するとともに前記複数のリソースの消費状況を管理するリソース管理手段、前記複数のリソースの複数の項目の動作条件をそれぞれ設定入力可能に表示するとともに、前記管理が必要なリソースの動作条件の設定が変更されたとき、変更された動作条件に基づいて前記リソース管理手段により前記複数のリソース間の再割当を行い、リソースの不足による割当不可なリソースが検出された場合、該割当不可なリソースに係る表示を識別可能に表示するとともに前記動作条件の設定操作を継続して行わせるリソース設定手段、として機能させるものである。
【００１４】
この発明では、複数のリソース間の割当の結果、リソースの不足による割当不可なリソースに係る表示が識別可能に表示され、動作条件の設定操作が継続される。したがって、リソースの不足による割当不可なリソースでも、動作条件を様々に変更することでリソースが割り当てられるようにすることができる。
【００１５】
上記課題を解決する第４の発明は、所定の通信規格に基づき無線通信端末と通信を行う擬似基地局装置で利用可能な複数のリソースの複数の項目の動作条件を設定させるリソース設定方法であって、設定された前記動作条件に基づいて前記複数のリソース間の組合せを生成し、該組合せを実現するように前記複数のリソースを相互に割り当てるリソース割当手順、割当の結果、リソースの不足による割当不可なリソースが有る場合、該割当不可なリソースに係る表示を識別可能に表示する手順、前記動作条件の設定操作を継続して行わせる手順、前記動作条件に変更があったとき、前記リソース割当手順から処理を行わせる手順、を実行するものである。
【００１６】
この発明では、複数のリソース間の割当の結果、リソースの不足による割当不可なリソースに係る表示が識別可能に表示され、動作条件の設定操作が継続される。したがって、リソースの不足による割当不可なリソースでも、動作条件を様々に変更することでリソースが割り当てられるようにすることができる。
【発明の効果】
【００１７】
本発明によれば、複数のリソース間の割当の結果、リソースの不足による割当不可なリソースに係る表示を識別可能に表示し、動作条件の設定操作を継続させているので、リソースの不足による割当不可なリソースでも、動作条件を様々に変更してリソースが割り当てられるかを見ながら設定することができ、擬似基地局装置のリソース設定についての深い知識のない操作者でも、簡単にリソースの設定ができる。
【発明を実施するための最良の形態】
【００１８】
以下、本発明を図面を参照して説明する。
【００１９】
図１は本発明の一実施形態のシナリオ生成装置を示す図である。本実施形態のシナリオ生成装置の生成するシナリオを実行する擬似基地局装置は、ＣＤＭＡ２０００（登録商標）の通信規格に従った基地局を擬似するものである。
【００２０】
図１において、本実施形態のシナリオ生成装置は、擬似基地局装置で利用可能なリソースに対し試験のための動作条件（例えば、周波数や通信規格）を設定入力可能に表示するリソース設定手段１１と、擬似基地局装置で利用可能なリソースのうち管理が必要なリソースの最大数を記憶したリソース最大値テーブル１２と、リソース設定手段１１で設定された動作条件に基づいてリソースの割当などの管理をするリソース管理手段１３と、擬似基地局装置で利用可能なリソースのうち該リソースを利用することにより必要な他のリソースの消費量が設定されたリソース消費量テーブル１４ａ及びリソース設定手段１１で設定された動作条件に基づいてリソース管理手段１３で割り当てられたリソースの状態を記憶するリソース状況テーブル１４ｂを含むリソース情報を検索可能に記憶するリソース情報記憶手段１４と、リソース設定手段１１により設定された動作条件に基づいたリソース構成のシナリオを生成するシナリオ生成手段１５と、キーボードやマウスなどの入力手段１６と、ディスプレイなどの表示手段１７とを備えている。
【００２１】
本実施形態におけるリソースとは、擬似基地局装置のハードウェア資源およびソフトウェア資源のことを指しており、それぞれが所定の機能を実現できるものである。
【００２２】
図２は、擬似基地局装置のリソースの種類と組合せを示す図である。
【００２３】
図２において、ＲＦ（Radio Frequency）リソースは設定された周波数により無線通信端末との通信を行うものであり、ＣＤＭＡリソースはＣＤＭＡ２０００（登録商標）  １ｘの通信を制御するものであり、ＥＶＤＯリソースはＣＤＭＡ２０００（登録商標）  １ｘＥＶ−ＤＯの通信を制御するものであり、Channelリソースは無線通信上のチャネルを制御するものであり、Sectorリソースはそれぞれ一つの基地局を擬似するためのものであり、ＰＰＰリソースはデータ通信時のＰＰＰサーバ装置を擬似するものである。
【００２４】
図２に示すように、複数種（図ではＲＦリソース、ＣＤＭＡリソース、ＰＰＰリソースなど）のリソースに複数のリソース（図ではRF1、Channel、PPP1など）があり、それぞれが組み合わされて所望の機能を実現する。
【００２５】
図３は、擬似基地局装置の各リソースのうちリソース数の管理が必要なリソースとその最大数を示す図である。これらは、使用できるリソースの最大数を管理するためのリソース最大値テーブル１２を構成している。なお、図の設定値はサンプルの値である。
【００２６】
Channelリソースは、ＣＤＭＡ、ＥＶＤＯで別々に最大数が決まっており、ＣＤＭＡのChannelリソースはForward Link,Reverce Linkで別々に最大数が決まっている。
【００２７】
ＲＦリソースのSlaveは、複数の擬似基地局装置を接続して制御する構成で使用する。
【００２８】
SectorリソースもＣＤＭＡ、ＥＶＤＯで別々に最大数が決まっている。なお、Channelリソースは、それぞれの種別毎に、各Sectorでの使用数を合計したものの最大数を示している。
【００２９】
このようなリソースを組み合わせて、ＣＤＭＡ２０００（登録商標）  １ｘの基地局やＣＤＭＡ２０００（登録商標）  １ｘＥＶ−ＤＯの基地局を擬似して無線通信端末の試験を行うことができる。
【００３０】
図４は、リソース消費量テーブル１４ａの構成例を示す図である。なお、図の設定値はサンプルの値である。
【００３１】
図４において、「ＣＤＭＡ Channelリソース消費量」は、ＣＤＭＡのChannelの種別毎にそのChannelを使用するのに必要なChannelリソース数が設定されており、「ＥＶＤＯ Channelリソース消費量」は、同様にＥＶＤＯのChannel毎の必要なChannelリソース数が設定されている。
【００３２】
「ＲＦリソース消費量」は、各通信規格と使用する周波数毎に必要なＲＦリソース数が設定されている。
【００３３】
図５は、リソース管理手段１３がリソース間の組合せと割当を管理するためのリソース状況テーブル１４ｂの構成例を示す図である。リソース状況テーブル１４ｂは、リソース情報記憶手段１４に記憶される。なお、図の設定値はサンプルの値である。  
【００３４】
図５において、「Sector登録状況」は、登録されているSectorの情報を記憶するものであり、「有効／無効」の列では、該SectorがＲＦリソースを獲得できて有効になっているか、獲得できなくて無効となっているかが示され、「ＢＣ」、「ＣＨ」の列では、Band Class、Channelの設定値が記憶される。
【００３５】
「Channel消費状況」は、各Sectorで使用しているChannelリソースの合計数が記憶される。「ＰＰＰ消費量」は、ＰＰＰリソースの使用数が記憶される。
【００３６】
「ＲＦ消費状況」は、ＲＦリソースが、ＣＤＭＡ、ＥＶＤＯどちらで使用されるか、その周波数、設定されているBand Class、Channelが記憶されている。
【００３７】
シナリオ生成装置は、このような擬似基地局装置のリソースの最大値等を管理し、擬似基地局装置のリソースに適した環境設定によりシナリオを生成するようになっている。
【００３８】
なお、図５におけるSlave欄は、複数の擬似基地局装置を接続して制御する構成で使用する。
【００３９】
図６は、このような擬似基地局装置およびシナリオ生成装置を使って、無線通信端末の試験を行う手順を示したフローチャートである。
【００４０】
図６に示すように、まず、シナリオ生成装置において、ＩＰ（Internet Protocol）等のネットワークの設定を行い（Ｓ１１）、無線通信端末との無線通信のためのＲＦリソースの設定を行う（Ｓ１２）。
【００４１】
次いで、リソース設定手段１１が表示手段１７に表示する図７に示すようなリソース設定画面により、基地局を擬似するSectorの設定を行う（Ｓ１３）。
【００４２】
図７において、画面右上の「RF Setting」として枠で囲まれた部分は、ＲＦリソースに関する設定状況を示しており、画面左上の枠で囲まれた部分は、リソースが獲得できているSectorを示している。また、画面下側の部分でSectorに関する設定を行う。
【００４３】
Sectorに関する設定部分では、最上部のタブの選択により、「ＣＤＭＡ」のタブの部分ではＣＤＭＡ２０００（登録商標）  １ｘの基地局の設定が行え、「ＥＶＤＯ」のタブの部分ではＣＤＭＡ２０００（登録商標）  １ｘＥＶ−ＤＯの基地局の設定が行え、「ＰＰＰ」のタブの部分ではデータ通信の擬似サーバの設定が行えるようになっている。
【００４４】
「ＣＤＭＡ」のタブの部分では、左端にSectorの追加・削除等のボタンが配置され、「Sector Add」のボタンで新しいSectorを追加でき、「Sector Del」のボタンで選択されているSectorの情報を削除でき、「Sector >>」および「Sector <<」のボタンで選択するSectorの移動ができ、「Copy Sector」のボタンで選択されているSectorの情報を複写することができるようになっている。
【００４５】
Sectorの情報の設定部分では、Sector毎にタグが設けられ、このタグを入力手段１６のマウスのクリックなどで選択することにより、該当Sectorの情報を確認し設定することができる。また、このタグは、当該Sectorが有効か無効かを色を変えて識別可能に表示している。
【００４６】
「Sector Add」ボタンが押下されると、リソース設定手段１１は、当該通信方式のSectorリソースに空きが有るか判定し、空きが無ければエラー表示をして設定操作の状態に戻る。
【００４７】
空きが有れば、設定項目にデフォルト値が設定されている状態の新しいSectorのタグを追加して表示する。
【００４８】
Sectorの情報の設定部分の左側には、ＲＦリソースに関連する設定項目が配置され、「Band Class」、「Channel」、「Sector Power」を設定できるようになっており、「Forward Freq」、「Reverse Freq」は「Band Class」、「Channel」の設定値によって自動的に計算され表示され、「Sector No」は作成された順に自動的に設定される。
【００４９】
ここで、「Band Class」、「Channel」に値を設定すると、リソース設定手段１１は、設定された「Band Class」、「Channel」と、当該Sectorの通信方式（ＣＤＭＡかＥＶＤＯか）をリソース管理手段１３に通知し、ＲＦリソースの割当を依頼する。
【００５０】
図８は、ＲＦリソースの割当処理を説明するためのフローチャートである。
【００５１】
リソース管理手段１３は、図８に示すように、リソース情報記憶手段１４に「ＲＦ消費状況」を問い合わせる。リソース情報記憶手段１４は、リソース状況テーブル１４ｂの「ＲＦ消費状況」を通知する。
【００５２】
リソース管理手段１３は、「ＲＦ消費状況」に当該Sectorと同一の通信方式のＲＦリソースが有るかを判定し（Ｓ２１）、同一の通信方式のＲＦリソースが有れば、該当ＲＦリソースの周波数が設定された「Band Class」、「Channel」による周波数と一致するかを判定する（Ｓ２２）。
【００５３】
周波数も一致すれば、当該ＲＦリソースに当該Sectorを関連付け（Ｓ２３）、当該Sectorを有効とするようにリソース情報記憶手段１４に依頼する。
【００５４】
リソース情報記憶手段１４は、リソース状況テーブル１４ｂの「Sector登録状況」の当該Sectorの「有効／無効」欄を「有効」にする。
【００５５】
次いで、リソース管理手段１３は、リソース情報記憶手段１４に、当該Sectorに設定された情報を通知し、Sector情報、Channel情報の更新を依頼する。
【００５６】
リソース情報記憶手段１４は、通知されたSectorの情報、設定された情報に基づいて、リソース消費量テーブル１４ａの該当するリソースの必要リソース数を参照し、リソース状況テーブル１４ｂの「Sector登録状況」、「Channel消費状況」を更新する（Ｓ２４）。
【００５７】
次いで、リソース管理手段１３は、「ＲＦ消費状況」と当該Sectorの割当結果（この場合有効）をリソース設定手段１１に通知する。
【００５８】
リソース設定手段１１は、通知された「ＲＦ消費状況」に基づいて「RF Setting」の表示を更新し、割当結果（有効／無効）に基づいて、該当Sectorのタブの表示を更新する（Ｓ２５）。
【００５９】
Ｓ２１で同一通信方式のＲＦリソースが無かった場合、またはＳ２２でＲＦリソースと周波数が一致しなかった場合、リソース管理手段１３は、「ＲＦ消費状況」からＲＦリソースに空きが有るかを判定する（Ｓ２６）。
【００６０】
ＲＦリソースに空きが有る場合、空きＲＦリソースを新規に割り当て（Ｓ２７）、当該Sectorに設定された「Band Class」、「Channel」、通信方式、ＲＦリソースの識別情報をリソース情報記憶手段１４に通知してＲＦリソースの使用状況を更新する（Ｓ２８）。
【００６１】
リソース情報記憶手段１４は、通知された「Band Class」、「Channel」、通信方式に基づいてリソース消費量テーブル１４ａの該当するリソースの必要リソース数を参照し、リソース状況テーブル１４ｂの「ＲＦ消費状況」の該当するＲＦリソースの情報を更新する。
【００６２】
次いで、上述と同様に、当該ＲＦリソースに当該Sectorを関連付け（Ｓ２３）、当該Sectorを有効とし、Sector情報、Channel情報を更新し（Ｓ２４）、「RF Setting」の表示と該当Sectorのタブの表示を更新する（Ｓ２５）。
【００６３】
Ｓ２６でＲＦリソースに空きが無かった場合、リソース管理手段１３は、当該SectorをＲＦリソースと関連付けずに、当該Sectorを無効とするようにリソース情報記憶手段１４に依頼する（Ｓ２９）。
【００６４】
リソース情報記憶手段１４は、リソース状況テーブル１４ｂの「Sector登録状況」の当該Sectorの「有効／無効」欄を「無効」にする。
【００６５】
次いで、上述と同様に、Sector情報、Channel情報を更新し（Ｓ２４）、「RF Setting」の表示と該当Sectorのタブの表示を更新する（Ｓ２５）。
【００６６】
なお、このＲＦリソースの割当処理は、Sectorの情報の設定部分の「Band Class」、「Channel」が変更されると実行され、ＲＦリソースの再割当が行われるようになっている。
【００６７】
次に、Sectorの削除処理について説明する。
【００６８】
SectorのタグでいずれかのSectorが選択された状態で、「Sector Del」ボタンが押下されると、リソース設定手段１１は、選択されたSectorの識別情報をリソース管理手段１３に通知し、Sectorの削除を依頼する。
【００６９】
図９は、Sector削除の処理を説明するためのフローチャートである。
【００７０】
リソース管理手段１３は、図９に示すように、リソース状況テーブル１４ｂのSector登録状況とリソース消費量テーブル１４ａの当該リソースの必要リソース数を参照し、削除指定されたSectorを削除することで空くＲＦリソースが有るかを判定する（Ｓ３１）。すなわち、ＲＦリソースに割り付けられているSectorが当該Sectorのみで、当該Sectorを削除することでＲＦリソースに割り付けられるSectorが無くなる状態かどうかを判定する。
【００７１】
ＲＦリソースが空く場合、リソース管理手段１３は、リソース状況テーブル１４ｂのSector登録状況を参照し、現在無効状態となっているSectorが有るかどうかを判定する（Ｓ３２）。
【００７２】
無効状態となっているSectorが有る場合、空きＲＦリソースを新規に割り当て（Ｓ３３）、当該Sectorに設定された「Band Class」、「Channel」、通信方式、ＲＦリソースの識別情報をリソース情報記憶手段１４に通知してＲＦリソースの使用状況を更新する（Ｓ３４）。
【００７３】
リソース情報記憶手段１４は、通知された「Band Class」、「Channel」、通信方式に基づいてリソース消費量テーブル１４ａの当該リソースの必要リソース数を参照して、リソース状況テーブル１４ｂの「ＲＦ消費状況」の該当するＲＦリソースの情報を更新する。
【００７４】
次いで、リソース管理手段１３は、当該ＲＦリソースに当該Sectorを関連付け（Ｓ３５）、当該Sectorを有効とするようにリソース情報記憶手段１４に依頼する。
【００７５】
リソース情報記憶手段１４は、リソース状況テーブル１４ｂの「Sector登録状況」の当該Sectorの「有効／無効」欄を「有効」にする。
【００７６】
次いで、リソース管理手段１３は、削除指定されたSectorを削除し（Ｓ３６）、リソース情報記憶手段１４に、削除指定されたSectorに設定された情報と新たに有効となったSectorに設定された情報を通知し、Sector情報、Channel情報の更新を依頼する。
【００７７】
リソース情報記憶手段１４は、通知されたSectorの情報、設定された情報に基づいて、リソース消費量テーブル１４ａの当該リソースの必要リソース数を参照してリソース状況テーブル１４ｂの「Sector登録状況」、「Channel消費状況」を更新する（Ｓ３７）。
【００７８】
次いで、リソース管理手段１３は、「ＲＦ消費状況」と指定されたSectorを削除した結果、無効であったSectorが有効となった場合、そのSectorの識別情報をリソース設定手段１１に通知する。
【００７９】
リソース設定手段１１は、通知された「ＲＦ消費状況」に基づいて「RF Setting」の表示を更新し、削除指定されたSectorを削除し、新たに有効となったSectorが有った場合、該当Sectorのタブの表示を更新する（Ｓ３８）。
【００８０】
図６に戻り、このようにしてSectorの情報設定を、擬似する基地局の分だけ、繰り返して行う。
【００８１】
次いで、擬似する基地局それぞれについて、Channelの設定を行う（Ｓ１４）。
【００８２】
図７の画面の、Sectorの情報の設定部分の中程には、擬似する基地局に共通の設定項目が配置され、この設定は後述するオーバーヘッドメッセージに共通の設定となる。この設定項目のうち「MAX_P_REV」、「MIN_P_REV」は、擬似する基地局が対応するＣＤＭＡ２０００（登録商標）  １ｘのレビジョン番号（通信規格の版数）を指定するもので、「MAX_P_REV」は対応するレビジョン番号の最大値、「MIN_P_REV」は対応するレビジョン番号の最小値を設定する。
【００８３】
「MAX_P_REV」、「MIN_P_REV」の項目では、シナリオ生成装置で対応可能なレビジョン番号がドロップダウンメニューなどにより選択可能に表示される。
【００８４】
擬似する基地局に共通の設定項目を設定後、右下の「Channel Setting」のボタンを入力手段１６のマウスのクリックなどで選択することにより、Channelの設定を行うことができる。
【００８５】
「Channel Setting」のボタンが選択されると、リソース設定手段１１は、「MAX_P_REV」に設定されたレビジョン番号に対応する送信可能なチャネルを収集し、図１０に示すような、チャネルの設定画面を表示手段１７に表示する。
【００８６】
図１０に示すように、画面の左側には、設定されたレビジョン番号で送信可能なチャネルが全て表示され、それぞれのチャネルに対応するチェックボックスで送信するか否かを選択することができるようになっている。
【００８７】
ここに表示されているチャネルの一つを入力手段１６のマウスのクリックなどで選択することにより、画面の右側に当該チャネルの内容を設定する画面が表示される。
【００８８】
この画面では、設定されたレビジョン番号の選択されたチャネルに設定することができるフィールドの一覧が表示され、各フィールドに値を設定することができるようになっている。なお、図７のリソース設定画面の擬似する基地局に共通の設定項目に対応するフィールドは、リソース設定画面で設定された値が設定される。
【００８９】
チャネルの選択と、選択されたチャネルの内容の編集が終了すると、図１０の画面の右下の「ＯＫ」ボタンを入力手段１６のマウスのクリックなどで選択する。
【００９０】
「ＯＫ」ボタンが選択されると、リソース設定手段１１は、チャネルの選択状況の情報と、各チャネルのパラメータの情報を、リソース管理手段１３に出力する。
【００９１】
リソース管理手段１３は、チャネルの選択状況の情報と、各チャネルのパラメータの情報を入力されると、入力された情報を当該Sectorと関連付けてリソース情報記憶手段１４に記憶させるとともに、入力された情報に基づいて、リソース消費量テーブル１４ａの当該リソースの必要リソース数を参照してリソース状況テーブル１４ｂの「Channel消費状況」を更新させる。
【００９２】
チャネルの設定が終了したら、次いで、報知情報を運ぶオーバーヘッドメッセージ（報知メッセージ）と報知情報の設定を、擬似する基地局それぞれについて行う（Ｓ１５）。
【００９３】
図７の画面において、右下の「OHM Setting」のボタンを入力手段１６のマウスのクリックなどで選択することにより、送信するオーバーヘッドメッセージと報知情報の設定を行うことができる。
【００９４】
「OHM Setting」のボタンが選択されると、リソース設定手段１１は、「MAX_P_REV」に設定されたレビジョン番号に対応する送信可能なオーバーヘッドメッセージを収集し、図１１に示すような、オーバーヘッドメッセージの設定画面を表示手段１７に表示する。
【００９５】
図１１に示すように、画面の左側には、設定されたレビジョン番号で送信可能なオーバーヘッドメッセージが全て表示され、それぞれのメッセージに対応するチェックボックスで送信するか否かを選択することができるようになっている。このチェックボックスでの選択は、メッセージの排他関係を考慮して制御され、排他関係にあるメッセージの一つがチェックボックスで選択されると（チェックボックスにチェックが付けられると）、排他関係の他のメッセージに対応するチェックボックスは選択不可としている。
【００９６】
ここに表示されているメッセージの一つを入力手段１６のマウスのクリックなどで選択することにより、画面の右側に当該メッセージのパラメータを設定する画面が表示される。
【００９７】
この画面では、設定されたレビジョン番号の選択されたメッセージに設定することができるフィールドの一覧が表示され、各フィールドに値を設定することができるようになっている。なお、図７のリソース設定画面の擬似する基地局に共通の設定項目に対応するフィールドは、環境設定画面で設定された値が設定される。
【００９８】
メッセージの選択と、選択されたメッセージの内容の編集が終了すると、図１１の画面の右下の「ＯＫ」ボタンを入力手段１６のマウスのクリックなどで選択する。
【００９９】
「ＯＫ」ボタンが選択されると、リソース設定手段１１は、メッセージの選択状況の情報と、各メッセージのパラメータの情報を、リソース管理手段１３に出力する。
【０１００】
リソース管理手段１３は、メッセージの選択状況の情報と、各メッセージのパラメータの情報を入力されると、入力された情報を当該Sectorと関連付けてリソース情報記憶手段１４に記憶させる。
【０１０１】
各基地局でのチャネルや送信するオーバーヘッドメッセージの設定が終わり、試験のための環境設定が終了すると、図７の画面の右下の「ＯＫ」ボタンを入力手段１６のマウスのクリックなどで選択する。
【０１０２】
「ＯＫ」ボタンが選択されると、リソース設定手段１１は、環境設定終了をリソース管理手段１３に通知する。
【０１０３】
図１２は、環境設定終了の処理を説明するためのフローチャートである。
【０１０４】
リソース管理手段１３は、図１２に示すように、リソース状況テーブル１４ｂの「Sector登録状況」を参照し、ＲＦリソースに不足はないか、すなわちＲＦリソースが割り当てられなくて無効となっているSectorが無いかを判定する（Ｓ４１）。
【０１０５】
ＲＦリソースに不足が有る場合、エラーを表示し、図７の画面を表示し、設定操作へ戻る（Ｓ４４）。
【０１０６】
ＲＦリソースに不足が無い場合、リソース状況テーブル１４ｂの「Channel消費状況」を参照し、各種別（ＣＤＭＡのForward、ＣＤＭＡのReverse、ＥＶＤＯ）で消費されるChannelの総数がリソース最大値テーブル１２のOpen Channel最大値を超えていないかを判定する（Ｓ４２）。
【０１０７】
Channelリソースに不足が有る場合、エラーを表示し、図７の画面を表示し、設定操作へ戻る（Ｓ４４）。
【０１０８】
Channelリソースに不足が無い場合、環境設定操作を終了する（Ｓ４３）。
【０１０９】
試験のための環境設定が終了すると、次に、無線通信端末を試験するための擬似基地局装置と無線通信端末との間のメッセージシーケンス（位置登録や発呼や着呼などのシーケンス）を必要数分作成し（Ｓ１６）、作成された環境設定の情報とメッセージシーケンスの情報に基づいて、例えばＰｅｒｌ言語のスクリプトによるシナリオを生成し出力する（Ｓ１７）。
【０１１０】
生成されたシナリオを擬似基地局装置により実行させ、無線通信端末の試験を行う（Ｓ１８）。
【０１１１】
このように本実施形態においては、Sectorの情報の設定部分の「Band Class」、「Channel」が変更されると、ＲＦリソースの割当処理を実行し、ＲＦリソースが割り当てられなかったSectorのタブの表示をＲＦリソースが割り当てられているものと異なる色で表示し、リソースの設定操作は継続させているので、ＲＦリソースが割り当てられなかったSectorでも、動作条件を様々に変更してＲＦリソースが割り当てられるかを見ながら設定することができ、擬似基地局装置のリソース設定についての深い知識のない操作者でも、簡単にリソースの設定ができる。
【０１１２】
また、本実施形態のシナリオ生成装置は、パーソナルコンピュータ等のコンピュータにより構成することができ、リソース設定手段１１、リソース管理手段１３、リソース情報記憶手段１４、シナリオ生成手段１５は、それぞれの処理をＣＰＵ（Central Processing Unit）に実行させるプログラムとして構成され、リソース最大値テーブル１２、リソース消費量テーブル１４ａ、リソース状況テーブル１４ｂは、ハードディスク等の記憶媒体内に構成される。
【図面の簡単な説明】
【０１１３】
【図１】本発明の一実施形態のシナリオ生成装置を示すブロック図である。
【図２】本発明の一実施形態のシナリオ生成装置が生成したシナリオを動作させる擬似基地局装置のリソースの種類と組合せを示した構成図である。
【図３】本発明の一実施形態のシナリオ生成装置の管理リソースとその最大数を示す図である。
【図４】本発明の一実施形態のシナリオ生成装置のリソース消費量テーブルの構成例を示す図である。
【図５】本発明の一実施形態のシナリオ生成装置のリソース状況テーブルの構成例を示す図である。
【図６】本発明の一実施形態のシナリオ生成装置の試験手順を示すフローチャートである。
【図７】本発明の一実施形態のシナリオ生成装置のリソース設定画面を示す図である。
【図８】本発明の一実施形態のシナリオ生成装置のＲＦリソースの割当処理を説明するためのフローチャートである。
【図９】本発明の一実施形態のシナリオ生成装置のSector削除の処理を説明するためのフローチャートである。
【図１０】本発明の一実施形態のシナリオ生成装置のチャネル設定画面を示す図である。
【図１１】本発明の一実施形態のシナリオ生成装置のオーバーヘッドメッセージ設定画面を示す図である。
【図１２】本発明の一実施形態のシナリオ生成装置の環境設定終了の処理を説明するためのフローチャートである。
【符号の説明】
【０１１４】
１１  リソース設定手段
１２  リソース最大値テーブル
１３  リソース管理手段
１４  リソース情報記憶手段
１４ａ  リソース消費量テーブル
１４ｂ  リソース状況テーブル
１５  シナリオ生成手段
１６  入力手段
１７  表示手段
【図１】
2008199086.tif 000003
【図２】
2008199086.tif 000004
【図３】
2008199086.tif 000005
【図４】
2008199086.tif 000006
【図５】
2008199086.tif 000007
【図６】
2008199086.tif 000008
【図８】
2008199086.tif 000009
【図９】
2008199086.tif 000010
【図１２】
2008199086.tif 000011
【図７】
2008199086.tif 000012
【図１０】
2008199086.tif 000013
【図１１】
2008199086.tif 000014